(57)【要約】【課題】  他の複数の照明装置により被写体を照明する際、自装置の発光動作の禁止及び他の複数の照明装置の発光量を正確かつ容易に設定することができる照明装置を提供する。【解決手段】  被写体を照明するための照明光を射出する照明部４４と、前記照明部の発光動作を制御する制御部４２と、前記被写体を照明するための照明光を射出し、自装置２と別体で構成される第１照明装置及び第２照明装置の発光量に関する情報を設定する設定部４２と、前記設定部が前記発光量に関する情報として前記第１照明装置の発光量と前記第２照明装置の発光量との光量比を設定する場合には、前記制御部は、前記照明部の発光動作を禁止する。【選択図】  図６
2012047923.tif 000002
【特許請求の範囲】
【請求項１】
被写体を照明するための照明光を射出する照明部と、
前記照明部の発光動作を制御する制御部と、
前記被写体を照明するための照明光を射出し、自装置と別体で構成される第１照明装置及び第２照明装置の発光量に関する情報を設定する設定部と、
前記設定部が前記発光量に関する情報として前記第１照明装置の発光量と前記第２照明装置の発光量との光量比を設定する場合には、前記制御部は、前記照明部の発光動作を禁止することを特徴とする照明装置。
【請求項２】
前記第１照明装置及び前記第２照明装置に対する制御信号を含む光を出力する出力部を備え、
前記出力部は、前記制御部が前記照明部の発光動作を禁止する場合には、前記制御部が前記照明部の発光動作を禁止しない場合より発光量の大きい前記制御信号を含む光を出力することを特徴とする請求項１記載の照明装置。
【請求項３】
前記設定部が前記発光量に関する情報として前記光量比を設定する場合、前記制御部が前記照明部の発光動作を禁止する旨を表示する表示部を備えることを特徴とする請求項１または請求項２記載の照明装置。
【請求項４】
前記設定部が前記発光量に関する情報として前記光量比を設定する場合、前記光量比を数値で表示する表示部を備えることを特徴とする請求項１〜請求項３の何れか一項に記載の照明装置。
【請求項５】
前記設定部が前記発光量に関する情報として前記光量比を設定する場合、前記第１照明装置からの発光量及び前記第２照明装置の発光量をバーグラフで表示する表示部を備えることを特徴とする請求項１〜請求項４の何れか一項に記載の照明装置。
【発明の詳細な説明】
【技術分野】
【０００１】
本発明は、被写体を照明するための照明装置に関するものである。
【背景技術】
【０００２】
１台のマスターフラッシュと２台のスレーブフラッシュを用いて異なる方向から照明した被写体を撮影する撮影システムであって、まず、２台のスレーブフラッシュのそれぞれを単独で発光させ、撮像された２枚の画像を生成し、２台のスレーブフラッシュの光量比を選択し、生成された２枚の画像に基づいて選択された光量比に対応する画像を生成し、生成された画像を表示することにより、選択された光量比で撮影した場合の画像の仕上がりを、撮影前に確認することができる撮影システムが提案されている（例えば、特許文献１参照）。
【先行技術文献】
【特許文献】
【０００３】
【特許文献１】特開２０１０−８８３２号公報
【発明の概要】
【発明が解決しようとする課題】
【０００４】
ところで、上述の特許文献１記載の撮影システムでは、２台のスレーブフラッシュにより被写体を照明し、撮影する場合について記載されているが、マスターフラッシュの発光に関する設定等について記載されていない。通常、複数の照明装置により被写体を照明し、撮影する増灯（多灯）撮影では、被写体をより美しく撮影するために、被写体を正面から照明せずに右方向や左方向から照明し、撮影する場合が多い。即ち、被写体を撮像するカメラ内またはカメラ上部に設けられることが多いマスターフラッシュを発光させずに、被写体を右方向や左方向から照明するスレーブフラッシュのみを発光させる場合が多い。この場合において、従来では、撮影の度にマスターフラッシュの発光動作の禁止をマニュアルで設定する必要があり、面倒な場合があった。また、マスターフラッシュの発光動作の禁止を設定し忘れたため、撮影に失敗する場合もあった。
【０００５】
本発明の目的は、他の複数の照明装置により被写体を照明する際、自装置の発光動作を正確かつ容易に制御することができる照明装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の照明装置は、被写体を照明するための照明光を射出する照明部（４４）と、前記照明部（４４）の発光動作を制御する制御部（４２）と、前記被写体を照明するための照明光を射出し、自装置（２）と別体で構成される第１照明装置（８）及び第２照明装置（１０）の発光量に関する情報を設定する設定部（４２）と、前記設定部（４２）が前記発光量に関する情報として前記第１照明装置（８）の発光量と前記第２照明装置（１０）の発光量との光量比を設定する場合には、前記制御部（４２）は、前記照明部（４４）の発光動作を禁止することを特徴とする。
【発明の効果】
【０００８】
本発明の照明装置によれば、他の複数の照明装置により被写体を照明する際、自装置の発光動作を正確かつ容易に制御することができる。
【図面の簡単な説明】
【０００９】
【図１】実施の形態に係る照明装置及び他の照明装置により構成される照明システムについて説明するための図である。
【図２】実施の形態に係る照明装置の外観を示す背面図である。
【図３】実施の形態に係る表示パネルの表示例を示す図である。
【図４】実施の形態に係る表示パネルの表示例を示す図である。
【図５】実施の形態に係る表示パネルの表示例を示す図である。
【図６】実施の形態に係る照明装置のシステム構成を示すブロック図である。
【発明を実施するための形態】
【００１０】
以下、図面を参照して、本発明の実施の形態に係る照明装置について説明する。図１は、実施の形態に係る照明装置２、他の照明装置８，１０により構成される照明システムについて説明するための図であり、図１（ａ）は照明システムを側面から見た図、図１（ｂ）は照明システムを上面から見た図である。この実施の形態に係る照明装置２は、図１に示すように、カメラ等の撮像装置４の上部に脚部１６（図２参照）を用いて取り付けられ、撮像装置４により被写体６の撮影を行う際に、被写体６を正面から照明光で照明するために使用される。
【００１１】
また、この照明システムは、撮像装置４により被写体６の撮影を行う際に、被写体６を正面右側から照明するための照明光８ａを射出し、照明装置２と別体で構成される他の照明装置（以下、第１照明装置という。）８、及び被写体６を正面左側から照明するための照明光１０ａを射出し、照明装置２及び第１照明装置８と別体で構成される他の照明装置（以下、第２照明装置という。）１０を備えている。
【００１２】
この実施の形態に係る照明装置２は、第１照明装置８及び第２照明装置１０に対して光によるワイヤレス通信を介して、第１照明装置８及び第２照明装置１０の発光に関する設定や発光動作を制御するマスター照明装置として機能する。また、第１照明装置８及び第２照明装置１０は、ワイヤレス通信（例えば光や電波によるワイヤレス通信）を介して、発光に関する設定や発光動作をマスター照明装置としての照明装置２により制御されるリモート照明装置として機能する。即ち、図１に示す照明システムは、照明装置２、第１照明装置８及び第２照明装置１０の少なくとも１つの照明装置により被写体６を照明し、撮像装置４により撮影する増灯（多灯）撮影を行う。
【００１３】
図２は、この実施の形態に係る照明装置２の外観を示す背面図である。なお、この実施の形態では、第１照明装置８及び第２照明装置１０の外観及び構成は、照明装置２の外観及び構成と同一である。図２に示すように、照明装置２は上部筐体１２及び下部筐体１４を備えており、上部筐体１２は下部筐体１４に対して上下方向及び左右方向へ変位可能に構成されている。上部筐体１２内には被写体６を照明するための照明光を射出する照明部４４（図６参照）が収容されている。また、下部筐体１４の下面には脚部１６が設けられており、この実施の形態では、照明装置２は上述したように脚部１６を用いて撮像装置４の上部に取り付けられている。
【００１４】
下部筐体１４の右下部には、照明装置２の電源オンオフ及び照明装置２のワイヤレス増灯撮影時のマスター・リモート設定を行うための電源ワイヤレス設定スイッチ１８が設けられている。具体的には、照明装置２の電源をオフするときは、電源ワイヤレス設定スイッチ１８を回動させて「ＯＦＦ」の位置に合わせる。また。照明装置２の電源をオンし、かつ１台の照明装置２により被写体６を照明し、撮像装置４により撮影する一灯撮影を行うときは、電源ワイヤレス設定スイッチ１８を回動させて「ＯＮ」の位置に合わせる。また、照明装置２の電源をオンし、かつ照明装置２をリモート照明装置として機能させるときは、電源ワイヤレス設定スイッチ１８を回動させて「ＲＥＭＯＴＥ」の位置に合わせる。照明装置２は、リモート照明装置として機能するよう設定されると、増灯撮影を行うために、マスター照明装置として機能するよう設定された他の照明装置の制御に従い、マスター照明装置や他のリモート照明装置と共に被写体６を照明する。また、照明装置２の電源をオンし、かつ照明装置２をマスター照明装置として機能させるときは、電源ワイヤレス設定スイッチ１８を回動させて「ＭＡＳＴＥＲ」の位置に合わせる。照明装置２は、マスター照明装置として機能するよう設定されると、増灯撮影を行うために、リモート照明装置として機能するよう設定された複数の他の照明装置（この実施の形態では、第１照明装置８及び第２照明装置１０）の発光動作等を制御する。
【００１５】
なお、この実施の形態では、照明装置２の電源ワイヤレス設定スイッチ１８が「ＭＡＳＴＥＲ」に、第１照明装置８及び第２照明装置１０の電源ワイヤレス設定スイッチが「ＲＥＭＯＴＥ」に設定されており、照明装置２がマスター照明装置、第１照明装置８及び第２照明装置１０がリモート照明装置として機能するよう設定されているものとして説明を行う。
【００１６】
下部筐体１４の背面左下部には、第１照明装置８に関する設定を行うか第２照明装置１０に関する設定を行うかを切り替えるセレクトボタン２０が設けられている。即ち、第１照明装置８の発光量等、第１照明装置８に関する設定を行う場合には、セレクトボタン２０により第１照明装置８を選択し、第２照明装置１０の発光量等、第２照明装置１０に関する設定を行う場合には、セレクトボタン２０により第２照明装置１０を選択する。また、下部筐体１４の背面下部には、照明装置２、第１照明装置８及び第２照明装置１０に関する様々な設定時に操作されるセレクトダイヤル２２、及びそれら様々な設定に対する確定操作を行うためのＯＫボタン２４が設けられている。また、下部筐体１４の背面左下部には、照明装置２から射出される照明光の照射角を設定するためのズームボタン２６、及びテスト発光するためのテスト発光ボタン２８が設けられている。
【００１７】
また、下部筐体１４の背面左上部には、スイッチを上下にスライドさせることにより、照明装置２、第１照明装置８及び第２照明装置１０から射出される照明光の発光量に関する情報を設定する手段（発光量設定モード）を切り替えるスライドスイッチ３０が設けられている。スライドスイッチ３０を上端の「ＴＴＬ」にスライドさせることにより発光量設定モードとしてのＴＴＬ調光モードに、スライドスイッチ３０を中間の「Ｍ」にスライドさせることにより発光量設定モードとしてのマニュアル発光モードに、スライドスイッチ３０を下端の「ＧＮ（Ａ：Ｂ）」にスライドさせることによりＡ：Ｂ調光モードに切り替える。ＴＴＬ調光モードは照明装置２、第１照明装置８及び第２照明装置１０の発光量をＴＴＬ（Ｔｈｒｏｕｇｈ  ｔｈｅ  Ｌｅｎｓ）に基づいて設定するモード、マニュアル発光モードは照明装置２、第１照明装置８及び第２照明装置１０の発光量をマニュアルで設定するモード、Ａ：Ｂ調光モードは照明装置２の発光量を０、第１照明装置８及び第２照明装置１０の発光量を光量比で設定するモードである。Ａ：Ｂ調光モードについては後述する。
【００１８】
また、下部筐体１４の背面右上部には、スイッチを上下にスライドさせることにより、照明装置２から射出される照明光の配光を設定するスライドスイッチ３２が設けられている。スライドスイッチ３２を上端、中間または下端にスライドさせることにより、スタンダード配光、中央部重点配光または均質配光に切り替える。
【００１９】
また、下部筐体１４の背面上部には、照明に関する様々な情報等を表示する表示部３４が設けられている。照明装置２がＴＴＬ調光モードに設定されている場合、表示部３４には、例えば図３に示すような画面３６が表示される。画面３６には、設定されている発光量設定モード３６ａ、マスター照明装置としての照明装置２の発光量３６ｂ、リモート照明装置としての第１照明装置８の発光量３６ｃ、リモート照明装置としての第２照明装置１０の発光量３６ｄ、配光画角３６ｅ、照射角３６ｆ、ＡＦ補助光照射等を示すマーク３６ｇ、所定カメラ（この実施の形態では撮像装置４）と通信中であることを示すマーク３６ｈ、過熱防止機能設定に関するマーク３６ｉ等が表示される。
【００２０】
また、照明装置２がＡ：Ｂ調光モードに設定されている場合、表示部３４には、例えば図４または図５に示すような画面３８または画面４０が表示される。画面３８，４０には、図３に示す画面３６と同様に、設定されている発光量設定モード３８ａ，４０ａ、マスター照明装置としての照明装置２の発光量３８ｂ，４０ｂ、配光画角３８ｅ，４０ｅ、照射角３８ｆ，４０ｆ、ＡＦ補助光照射等を示すマーク３８ｇ，４０ｇ、所定カメラ（この実施の形態では撮像装置４）と通信中であることを示すマーク３８ｈ，４０ｈ、過熱防止機能設定に関するマーク３８ｉ，４０ｉ等が表示される。なお、図４及び図５に示す照明装置２の発光量３８ｂ，４０ｂの「Ｍ  −−−」は、照明装置２の発光量が０に設定されていることを示している。
【００２１】
また、画面３８，４０には、画面３６に表示される第１照明装置８及び第２照明装置１０の発光量３６ｃ，３６ｄに代えて、第１照明装置８（図４及び図５ではＡ）の発光量と第２照明装置１０（図４及び図５ではＢ）の発光量との光量比を示す数値（図４及び図５ではＡ：Ｂ）３８ｊ，４０ｊが表示される。また、画面３８，４０には、第１照明装置８の発光量と第２照明装置１０の発光量との光量比を示すバーグラフ３８ｋ，４０ｋが表示される。
【００２２】
ここで、第１照明装置８と第２照明装置１０の発光量の光量比として、１：１から、１：２、１：３〜１：１６まで、及び１６：１から、１５：１、１４：１〜１：１まで設定可能に構成されており、図４では第１照明装置８と第２照明装置１０の発光量の光量比が２：１（以下、Ａ：Ｂ＝２：１と言う。）に設定されていることを示している。なお、Ａ：Ｂ＝２：１である場合とは、第１照明装置８の発光量が第２照明装置１０の発光量に対して１ＥＶ大きい場合を示している。一方、図５では第１照明装置８の発光量と第２照明装置１０の発光量との光量比を示す数値４０ｊがＡ：Ｂ＝１：−と表示されているが、これは第１照明装置８のみ発光させ、第２照明装置１０の発光を禁止する設定がなされていることを示している。以下、第１照明装置８及び第２照明装置１０の一方の光量比が１に設定されている場合における他方の光量比の設定値に対する、一方の発光量と他方の発光量との光量差（（他方の発光量）−（一方の発光量）ＥＶ）を表１に示す。
【表１】
2012047923.tif 000003
【００２３】
即ち、表１に示すように、例えばＡ：Ｂ＝１：１の場合には光量差０、即ち第１照明装置８と第２照明装置１０の発光量は同一であることを示しており、Ａ：Ｂ＝１：４の場合には光量差２ＥＶ、即ち第２照明装置１０の発光量が第１照明装置８の発光量より２ＥＶ多いことを示しており、Ａ：Ｂ＝８：１の場合には光量差３ＥＶ、即ち第１照明装置８が第２照明装置１０の発光量より３ＥＶ多いことを示している。
【００２４】
図６は、この実施の形態に係る照明装置２のシステム構成を示すブロック図である。なお、第１照明装置８及び第２照明装置１０のシステム構成も、照明装置２のシステム構成と同一である。図６に示すように、照明装置２は、マイクロプロセッサ等により構成され、照明装置２の各部を統括的に制御する制御部４２を備えている。制御部４２には、照明部４４、表示部３４、操作部４６、接続部４８、及び受光部５０が接続されている。照明部４４は、図２に示す上部筐体１２内に収容されており、制御部４２による発光動作の制御に従い、被写体６を照明するための照明光を射出する。照明部４４から射出した照明光は、上部筐体１２の前面に設けられているフレネルレンズ等を介して被写体６を照明する。また、照明部４４は、制御部４２による制御に従い、第１照明装置８及び第２照明装置１０に対して、ワイヤレス通信するための光、具体的には第１照明装置８及び第２照明装置１０の発光に関する設定や発光動作を制御する制御信号を含む光を出力する。照明部４４から射出した制御信号を含む光は、前述のフレネルレンズ等を介し、第１照明装置８及び第２照明装置１０に設けられている受光部（図示せず）により受光され、第１照明装置８及び第２照明装置１０は、受光部により受光した制御信号を含む光に基づき、発光に関する設定や発光動作を実行する。
【００２５】
表示部３４は、上述したように、制御部４２の表示制御に従い、照明に関する様々な情報等、例えば図３〜図５に示す画面３６，３８，４０等を表示する。また、操作部４６は、図２に示す電源ワイヤレス設定スイッチ１８、セレクトボタン２０、セレクトダイヤル２２、ＯＫボタン２４、ズームボタン２６、テスト発光ボタン２８、及びスライドスイッチ３０，３２等を備えて構成されており、ユーザーによる操作がなされると、その操作に応じた操作信号を制御部４２に対して出力する。接続部４８は、図２に示す脚部１６の下部（撮像装置４に取り付けられる部分）に設けられており、撮像装置４の接続部（図示せず）を介して、照明装置２と撮像装置４とを電気的に接続する。照明装置２は、接続部４８を介して、照明装置２に関する情報を撮像装置４に対して送信し、撮像装置４に関する情報や照明に関する制御等を含む信号を照明装置２から受信する。
【００２６】
受光部５０は、照明装置２の電源ワイヤレス設定スイッチ１８が「ＲＥＭＯＴＥ」に設定されており、照明装置２がリモート照明装置として機能するよう設定されている場合において、マスター照明装置として機能するよう設定されている他の照明装置から出力されたワイヤレス通信するための光、具体的には照明装置２の発光に関する設定や発光動作を制御する制御信号を含む光を受光する。制御部４２は、受光部５０により受光した制御信号を含む光に基づき、発光に関する設定や発光動作を実行する。
【００２７】
この実施の形態では、マスター照明装置としての照明装置２においてＡ：Ｂ調光モードに設定されると、照明装置２（照明部４４）の発光動作を禁止する。以下、Ａ：Ｂ調光モードに設定された場合において、照明装置２、第１照明装置８及び第２照明装置１０の発光量に関する情報の設定、照明装置２、第１照明装置８及び第２照明装置１０により構成される照明システムでの被写体６の照明、及び撮像装置４による撮影（増灯撮影）を行う際の処理について説明する。
【００２８】
まず、ユーザーにより照明装置２の電源ワイヤレス設定スイッチ１８が「ＭＡＳＴＥＲ」に設定されると、制御部４２は、照明装置２の電源をオンし、照明装置２がマスター照明装置として機能するよう設定する。同様に、ユーザーにより第１照明装置８及び第２照明装置１０の電源ワイヤレス設定スイッチが「ＲＥＭＯＴＥ」に設定されると、第１照明装置８及び第２照明装置１０の制御部（図示せず）は、第１照明装置８及び第２照明装置１０の電源をオンし、第１照明装置８及び第２照明装置１０がリモート照明装置として機能するよう設定する。
【００２９】
次に、ユーザーにより照明装置２のスライドスイッチ３０が下端の「ＧＮ（Ａ：Ｂ）」にスライドされると、制御部４２は、照明装置２、第１照明装置８及び第２照明装置１０の発光量に関する情報を設定する手段の一つであるＡ：Ｂ調光モードに切り替え、かつ照明装置２の照明部４４の発光動作を禁止する。即ち、制御部４２は、Ａ：Ｂ調光モードに設定する際、照明部４４からの発光を０（オフ）に設定する。そして、図４や図５に示す画面３８や画面４０を表示部３４に表示させる。このとき、照明装置２（照明部４４）の発光動作を禁止する旨を表示部３４に表示する。具体的には、画面３８や画面４０に表示される照明装置２（照明部４４）からの発光量３８ｂ，４０ｂを、０に設定されていることを示す「Ｍ  −−−」と表示する。
【００３０】
また、Ａ：Ｂ調光モードとは、第１照明装置８及び第２照明装置１０の発光量（被写体６を照明する照明光の発光量）を、第１照明装置８の発光量と第２照明装置１０の発光量との光量比で設定するモードのことである。Ａ：Ｂ調光モードにおいて第１照明装置８の発光量及び第２照明装置１０の発光量を設定する場合には、まず、図４や図５に示す画面３８や画面４０が表示部３４に表示されている状態で、ユーザーによりセレクトボタン２０が押下される毎に、制御部４２は、ＡかＢか、即ち第１照明装置８か第２照明装置１０かを交互に選択する。そして、例えばＡが選択された状態で、ユーザーによりセレクトダイヤル２２が操作されると、制御部４２は、第１照明装置８の光量比を示す値（図４では「２」、図５では「１」）を０（−），１，２，３…１５，１６、または１６，１５，１４…２，１，０（−）に変更し、かつ変更後の値に応じた数値３８ｊ，４０ｊ及びバーグラフ３８ｋ，４０ｋを表示部３４に変更表示する。制御部４２は、ユーザーによるセレクトダイヤル２２の操作が終了するまで、第１照明装置８の光量比を示す値の変更及び表示部３４への変更表示を継続する。そして、ユーザーによるセレクトダイヤル２２の操作が終了したときの値が第１照明装置８の光量比を示す値に決定される。同様に、セレクトボタン２０が押下されることによりＢが選択されると、セレクトダイヤル２２を操作することにより、第２照明装置１０の光量比を示す値（図４では「１」、図５では「−」）を０（−），１，２，３…１５，１６、または１６，１５，１４…２，１，０（−）に変更することができ、制御部４２は、ユーザーによるセレクトダイヤル２２の操作が終了したときの値を第２照明装置１０の光量比を示す値に決定し、かつ変更後の値に応じた数値３８ｊ，４０ｊ及びバーグラフ３８ｋ，４０ｋを表示部３４に変更表示する。
【００３１】
第１照明装置８と第２照明装置１０の発光量を光量比で設定した後、制御部４２は、接続部４２を介して撮像装置４からの撮像指示を取得すると、第１照明装置８及び第２照明装置１０に対して、発光量に関する情報と発光動作を指示する制御信号を含む光を照明部４４から射出する。このとき、制御部４２は、照明部４４による被写体６への発光動作を禁止している場合には、照明部４４による被写体６への発光動作を禁止していない場合より発光量の大きい光（発光量に関する情報と発光動作を指示する制御信号を含む光）を照明部４４から射出させる。即ち、Ａ：Ｂ調光モードにおいて照明部４４による被写体６への発光量が０に設定されている場合には、被写体６を照明するための電力を確保する必要がなく、これら電力を第１照明装置８及び第２照明装置１０に対して送光する光のために使用することができるため、照明部４４による被写体６への発光が０より大きい値に設定されている場合より、第１照明装置８及び第２照明装置１０に対して送光する光の発光量を大きくすることができる。この場合には、照明装置２からの制御信号をより遠くまで送信することができるため、照明装置２と第１照明装置８及び第２照明装置１０との間隔を大きくすることができる。また、昼間や明るい室内等、環境光が存在する場所で撮影する場合においても、第１照明装置８及び第２照明装置１０に対して送光する光の発光量を大きくすることができるため、照明装置２から送信される制御信号を第１照明装置８及び第２照明装置１０において確実に受信させることができる。
【００３２】
第１照明装置８及び第２照明装置１０が照明装置２からの制御信号を受信した後、第１照明装置８及び第２照明装置１０は、照明装置２からの指示に従い、発光量を設定し、被写体６を照明し、撮像装置４は、第１照明装置８及び第２照明装置１０により照明されている被写体６を撮像する。
【００３３】
この実施の形態に係る照明装置２によれば、第１照明装置８及び第２照明装置１０により被写体６を照明する際、照明装置２の発光動作を正確かつ容易に制御することができる。即ち、第１照明装置８及び第２照明装置１０の発光量を光量比で設定するＡ：Ｂ調光モードに設定されると、照明装置２（照明部４４）の発光動作を禁止する設定がなされる。したがって、複数の照明装置により被写体を照明し、撮影する増灯（多灯）撮影において、被写体をより美しく撮影するために、被写体を正面から照明せずに右方向や左方向から照明し、撮影する場合が多いが、このような場合においても、照明装置２の発光動作を禁止する設定をマニュアルで行う必要がない。また、Ａ：Ｂ調光モードに設定された時点で照明装置２の発光動作を禁止する設定がなされ、照明装置２の発光動作を禁止する設定を手動で行う必要がないため、照明装置２の発光動作を禁止し忘れたことによる撮影の失敗を防止することができる。
【００３４】
なお、上述の実施の形態においては、被写体６を左右側から照明する他の照明装置（第１照明装置８及び第２照明装置１０）を備えているが、左右側から照明する他の照明装置に追加して、または左右側から照明する他の照明装置に代えて、被写体６を他の方向（例えば、背面、上面、下面等）から照明する他の照明装置を備える構成にすることもできる。また、被写体６を右側（または左側）から照明する１台の第１照明装置８（または第２照明装置１０）を備えているが、被写体６を右側（または左側）から照明する２台以上の他の照明装置を備える構成にすることもできる。
【００３５】
また、上述の実施の形態においては、Ａ：Ｂ調光モードに設定された時点で照明装置２の発光動作を禁止し、第１照明装置８及び第２照明装置１０により被写体６を照明しているが、照明装置２により被写体６を照明したい場合には、Ａ：Ｂ調光モード下において発光動作を禁止された照明装置２の発光量を手動で０より大きい値に設定変更することもできる。
【符号の説明】
【００３６】
２…照明装置、４…撮像装置、８…第１照明装置、１０…第２照明装置、１８…電源ワイヤレス設定スイッチ、２０…セレクトボタン、２２…セレクトダイヤル、２４…ＯＫボタン、２６…ズームボタン、２８…テスト発光ボタン、３０，３２…スライドスイッチ、３４…表示部、４２…制御部、４４…照明部、４６…操作部、４８…接続部、５０…受光部。
【図１】
2012047923.tif 000004
【図２】
2012047923.tif 000005
【図３】
2012047923.tif 000006
【図４】
2012047923.tif 000007
【図５】
2012047923.tif 000008
【図６】
2012047923.tif 000009